(57)【要約】【課題】トイレットペーパーやティッシュをいつでも使用できる状態で携帯することが可能な散歩用紙袋を提供する。【解決手段】トイレットペーパー１００又はティッシュ箱を収納する紙製の袋本体１０と、袋本体１０内に挿入する仕切り板３０と、携帯時に使用者が把持する把持部２０とを備え、仕切り板３０は、トイレットペーパー１００を保持する第１形態と、袋本体１０内のティッシュ箱の側方に載置されてティッシュ箱を維持する第２形態とに折り曲げ方を変えることによって、変形自在とする。【選択図】図１
0003156305.tif 000002
【実用新案登録請求の範囲】
【請求項１】
内部にティッシュを収納しかつティッシュの取出口を有するティッシュ箱、又は円筒状の芯材に長尺の紙をロール状に巻き返してなるロール紙を収納する紙製の袋本体と、
当該袋本体内に載置され、前記ティッシュ箱又は前記ロール紙を袋本体内に保持する仕切り板と、
前記袋本体の上部に設けられ、携帯時に使用者が把持する把持部とを備え、
前記袋本体は、
前記ティッシュ箱の長手方向の幅に略等しい横幅と、前記ティッシュ箱の高さよりも大きく設定された縦幅の底面部を有し、
前記ティッシュ箱の長手方向と高さ方向の辺によって囲まれる側面が前記底面部に当接するように、前記袋本体内に前記ティッシュ箱を収納した際に、前記袋本体の側面における前記取出口との対向部位に、前記ティッシュ箱内のティッシュを取り出し可能にする開口部を有し、
前記袋本体は、前記袋本体内に前記ティッシュ箱又は前記ロール紙を収納した際に、前記袋本体の側面における前記取出口との対向部位に、前記ティッシュ箱又は前記ロール紙内のティッシュを取り出し可能にする開口部を有し、
前記仕切り板は、
所定の折り曲げ部を折り曲げることによって前記芯材を介してロール紙を保持する第１形態と、所定の折り曲げ部を折り曲げ、前記袋本体内に収納された前記ティッシュ箱の側方に載置した際に、前記ティッシュ箱の取出口が前記開口部に対向した状態を維持させる第２形態とのいずれか一方に変形自在であることを特徴とする散歩用紙袋。
【請求項２】
内部にティッシュを収納しかつティッシュの取出口を有するティッシュ箱を収納する紙製の袋本体と、
当該袋本体内に載置され、前記袋本体内を複数の区画とに分ける仕切り板と、
前記袋本体の上部に設けられ、携帯時に使用者が把持する把持部とを備え、
前記袋本体は、
前記ティッシュ箱の長手方向の幅に略等しい横幅と、前記ティッシュ箱の高さよりも大きく設定された縦幅の底面部を有し、
前記ティッシュ箱の長手方向と高さ方向の辺によって囲まれる側面が前記底面部に当接するように、前記袋本体内に前記ティッシュ箱を収納した際に、前記袋本体の側面における前記取出口との対向部位に、前記ティッシュ箱内のティッシュを取り出し可能にする開口部を有し、
前記仕切り板は、
前記袋本体内における前記ティッシュ箱の側方空間の中央部を仕切るコ字状の仕切り部とを有し、
前記袋本体内に、前記ティッシュ箱及び前記仕切り板を載置した場合に、前記ティッシュ箱の側方の空間を、前記仕切り部によって形成される区画、及び前記仕切り部の両側部に形成される区画とに仕切ることを特徴とする散歩用紙袋。
【請求項３】
前記仕切り板は、一枚の紙材に切り込み部及び折り曲げ部を形成し、当該折り曲げ部折り曲げることによって形成することを特徴とする請求項１又は２記載の散歩用紙袋。
【請求項４】
前記把持部は、携帯時に使用者が把持する紐状部材と、前記袋本体の上部に形成した折り返し部の内部に配置され、前記紐状部材の両端部を支持する支持部を有する矩形の厚紙とからなり、
前記支持部は、前記紐状部材が挿入可能な孔部と、コ字状の切り込みによって形成された第１切り込み部及び第２切り込み部と、前記厚紙の長手方向の一辺における、前記第１切り込み部と第２切り込み部との中間に位置する部位に形成された切欠部とを有し、
前記第１切り込み部及び前記第２切り込み部は、自由端部が互いに対向しており、
前記孔部は、前記第２切り込み部の近傍に形成され、
前記紐状部材は、前記紐状部材の端部を、前記厚紙の裏側から前記孔部に通し、さらに前記切欠部に係合させて、前記裏側から前記第２切り込み部に通し、前記第１切り込み部において把持させることによって、前記支持部に取り付けられることを特徴とする請求項１〜３のいずれか１項記載の散歩用紙袋。
【考案の詳細な説明】
【技術分野】
【０００１】
本考案は、例えば、犬の散歩において、犬の糞尿を処理するための道具を携帯するために用いる散歩用紙袋に関する。
【背景技術】
【０００２】
従来より、犬の散歩において、犬が排泄した糞尿は飼い主がその場で処理することが飼い主のマナーとして望まれている。このため、飼い主は、糞を回収するためのティッシュや新聞紙、さらには尿を流すための水を入れたペットボトルといったものを携帯しながら散歩を行うことが多い。
【０００３】
また、従来のこの種の技術としては、犬の散歩に携帯する鞄において、鞄内に収納したティッシュ箱のティッシュを、鞄の側部から取り出せるようにしたものが提案されている（特許文献１参照）。
【先行技術文献】
【特許文献】
【０００４】
【特許文献１】特開２００４−６５３６８号公報
【考案の概要】
【考案が解決しようとする課題】
【０００５】
しかしながら、鞄にティッシュ箱を入れ、さらに水を入れたペットボトルを入れた場合、ペットボトルが倒れていたり、斜めになっているなど取り出しにくい状態となっている場合がある。さらに、ペットボトルはティッシュ箱よりも重いことから、散歩中に鞄の下方に移動するようになる。これにより、ティッシュ箱がペットボトルに押し出されて位置が変わり、ティッシュ箱のティッシュを、鞄の側部から容易に取り出せない場合がある。また、ティッシュの代わりにトイレットペーパーを利用したい場合がある。
【０００６】
本考案は、このような問題点を解決し、トイレットペーパーやティッシュ、あるいはティッシュやペットボトルをいつでも使用できる状態で携帯することを実現した散歩用紙袋を提供することを目的とする。
【課題を解決するための手段】
【０００７】
前記目的を達成するため、本考案は次に記載する構成を備えている。
【０００８】
（１）  内内部にティッシュを収納しかつティッシュの取出口を有するティッシュ箱、又は円筒状の芯材に長尺の紙をロール状に巻き返してなるロール紙を収納する紙製の袋本体と、当該袋本体内に載置され、前記ティッシュ箱又は前記ロール紙を袋本体内に保持する仕切り板と、前記袋本体の上部に設けられ、携帯時に使用者が把持する把持部とを備え、前記袋本体は、前記ティッシュ箱の長手方向の幅に略等しい横幅と、前記ティッシュ箱の高さよりも大きく設定された縦幅の底面部を有し、前記ティッシュ箱の長手方向と高さ方向の辺によって囲まれる側面が前記底面部に当接するように、前記袋本体内に前記ティッシュ箱を収納した際に、前記袋本体の側面における前記取出口との対向部位に、前記ティッシュ箱内のティッシュを取り出し可能にする開口部を有し、前記袋本体は、前記袋本体内に前記ティッシュ箱又は前記ロール紙を収納した際に、前記袋本体の側面における前記取出口との対向部位に、前記ティッシュ箱又は前記ロール紙内のティッシュを取り出し可能にする開口部を有し、前記仕切り板は、所定の折り曲げ部を折り曲げることによって前記芯材を介してロール紙を保持する第１形態と、所定の折り曲げ部を折り曲げ、前記袋本体内に収納された前記ティッシュ箱の側方に載置した際に、前記ティッシュ箱の取出口が前記開口部に対向した状態を維持させる第２形態とのいずれか一方に変形自在であることを特徴とする散歩用紙袋。
【０００９】
（１）によれば、仕切り板の織り方を変えて第１形態とすることにより、仕切り板がロール紙（例えば、トイレットペーパー）のホルダとして機能するようになり、散歩用紙袋内でトイレットペーパー１００を安定して保持することが可能になる。これにより、使用者は、散歩用紙袋１を携帯しながら、袋本体の側方から開口部を介してロール紙を引き出すことが容易に可能となる。また、仕切り板の織り方を変えて第２形態とすることにより、仕切り板に、ティッシュ箱を安定して保持するとともに、ティッシュ箱の側方の空間を区画する機能を持たせることが可能になる。これにより、使用者は、散歩用紙袋を携帯しながら、袋本体の側方から開口部を介してティッシュを取り出すことが容易に可能となるとともに、各種の道具を収納することが可能になる。
【００１０】
（２）  内部にティッシュを収納しかつティッシュの取出口を有するティッシュ箱を収納する紙製の袋本体と、当該袋本体内に載置され、前記袋本体内を複数の区画とに分ける仕切り板と、前記袋本体の上部に設けられ、携帯時に使用者が把持する把持部とを備え、前記袋本体は、前記ティッシュ箱の長手方向の幅に略等しい横幅と、前記ティッシュ箱の高さよりも大きく設定された縦幅の底面部を有し、前記ティッシュ箱の長手方向と高さ方向の辺によって囲まれる側面が前記底面部に当接するように、前記袋本体内に前記ティッシュ箱を収納した際に、前記袋本体の側面における前記取出口との対向部位に、前記ティッシュ箱内のティッシュを取り出し可能にする開口部を有し、前記仕切り板は、前記袋本体内における前記ティッシュ箱の側方空間の中央部を仕切るコ字状の仕切り部とを有し、前記袋本体内に、前記ティッシュ箱及び前記仕切り板を載置した場合に、前記ティッシュ箱の側方の空間を、前記仕切り部によって形成される区画、及び前記仕切り部の両側部に形成される区画とに仕切ることを特徴とする散歩用紙袋。
【００１１】
（２）によれば、袋本体内にティッシュ箱を収納し、さらにティッシュ箱の側方に仕切り板を載置することにより、ティッシュ箱の取出口と袋本体の開口部とを対向させた状態で維持することが可能になる。これにより、使用者は、散歩用紙袋を携帯しながら、袋本体の側方から開口部を介してティッシュを取り出すことが容易に可能となる。また、袋本体の内部においてティッシュ箱の側方の空間を３つに区画されているため、中央の区画に、袋本体に収納する物の中で重い物を収納することにより、散歩用紙袋のバランスを維持することが可能になり、携帯性を向上させることが可能になる。
【００１２】
（３）  （１）、（２）において、前記仕切り板は、一枚の紙材に切り込み部及び折り曲げ部を形成し、当該折り曲げ部折り曲げることによって形成することを特徴とする散歩用紙袋。
【００１３】
（３）によれば、仕切り板は、一枚の矩形の紙材によって構成されているため、使用者によって容易に作成可能になる。
【００１４】
（４）  （１）〜（３）において、前記把持部は、携帯時に使用者が把持する紐状部材と、前記袋本体の上部に形成した折り返し部の内部に配置され、前記紐状部材の両端部を支持する支持部を有する矩形の厚紙とからなり、前記支持部は、前記紐状部材が挿入可能な孔部と、コ字状の切り込みによって形成された第１切り込み部及び第２切り込み部と、前記厚紙の長手方向の一辺における、前記第１切り込み部と第２切り込み部との中間に位置する部位に形成された切欠部とを有し、前記第１切り込み部及び前記第２切り込み部は、自由端部が互いに対向しており、前記孔部は、前記第２切り込み部の近傍に形成され、前記紐状部材は、前記紐状部材の端部を、前記厚紙の裏側から前記孔部に通し、さらに前記切欠部に係合させて、前記裏側から前記第２切り込み部に通し、前記第１切り込み部において把持させることによって、前記支持部に取り付けられることを特徴とする散歩用紙袋。
【００１５】
（４）によれば、把持部は、携帯時に使用者が把持する紐状部材と、袋本体の上部に形成した折り返し部の内部に配置され、紐状部材の両端部を支持する支持部を有する矩形の厚紙からなり、支持部を構成する切り込み部や孔部に紐状部材の端部を挿入することによって紐状部材を固定している。このような簡単な構成で、把持部に、袋本体を支持するために十分な強度を持たせることが可能になる。
【考案の効果】
【００１６】
本考案によれば、ロール紙、ティッシュあるいはペットボトルをいつでも使用できる状態で携帯することが可能な散歩用紙袋を提供することができる。
【図面の簡単な説明】
【００１７】
【図１】本考案の第１実施形態に係る散歩用紙袋の外観及び内部構成を示す斜視図である。
【図２】本考案の第１実施形態に係る散歩用紙袋の外観及び内部構成を示す斜視図である。
【図３】仕切り板３０の展開図である。
【図４】図２（ｂ）を平面視した図である。
【図５】把持部２０の構成を示す正面図である。
【図６】図５の背面図である。
【図７】本考案の第２実施形態に係る散歩用紙袋の外観及び内部構成を示す斜視図である。
【図８】図１の背面斜視図である。
【図９】仕切り板６０の展開図である。
【図１０】図７、図８（ｂ）を平面視した図である。
【考案を実施するための形態】
【００１８】
以下、本考案の第１実施形態について、図面を参照しながら詳細に説明する。
［第１実施形態］
図１は、本考案の第１実施形態に係る散歩用紙袋の外観及び内部構成を示す斜視図であり、図１（ａ）は紙袋の構成を示し、図１（ｂ）は紙袋内にトイレットペーパー及び仕切り板を収納の構成を示すものである。図２は図１の散歩用紙袋の別の利用形態を示す斜視図であり、図２（ａ）は仕切板の構成を示し、図２（ｂ）は、紙袋内にティッシュ箱及び仕切り板を収納の構成を示すものである。
【００１９】
散歩用紙袋１は、略直方体型状の袋本体１０、袋本体１０の上部に取り付けられ、使用者が散歩用紙袋１を把持する把持部２０、袋本体１０の内部に収納する仕切り板３０によって構成されている。
【００２０】
袋本体１０のサイズは、図２（ａ）に示すように、横幅がティッシュ箱の長手方向の長さＬより若干大きく設定されており、縦幅がティッシュ箱の高さＮよりも長く設定されており、高さは、ティッシュ箱の短手方向の長さＭより大きく設定されており、例えば、５００ｍｌ用ペットボトルの高さ程度に設定されている。
【００２１】
また、図１（ａ）に示すように、袋本体１０の長手方向の辺を一辺とする一方の側面には開口部１２が形成されている。なお、図２（ａ）に示すように、他方の側面には開口部１２が形成されていない。また、袋本体１０における外側の上部には、袋本体１０の開口縁部を下方に折り返してなる折り返し部１４が形成されている。また、袋本体１０における内側の上部両端部には、孔部１６、１６が形成されている。
【００２２】
把持部２０は、紐状部材２２及び矩形の厚紙２４によって構成されている。厚紙２４は折り返し部１４内に収納される。紐状部材２２の両端部は、孔部１６、１６に通され、厚紙２４に支持させることにより、紐状部材２２が袋本体１０に取り付けられ、袋本体１０が手提げ袋として機能するようになる。
【００２３】
仕切り板６０は、図３に示す１枚の略矩形の薄いダンボール材３１に曲げを施すことよって構成されており、図１に示すように、トイレットペーパーのホルダとして機能させたり、図２に示すように、袋本体１０内にティッシュ箱を収納するための区画を形成する部材として使用される。
【００２４】
ダンボール材３１には、略コ字状の切り込みによって切り込み部３２、３３が形成されている。切り込み部３２、３３は、固定端部が大きくなるように段状に切り込まれており、自由端部が互いに対向している。また、切り込み部３２、３３は、ダンボール材３１における長手方向に直交する垂直二等分線に対して線対称に形成されている。
【００２５】
また、ダンボール材３１には、垂直二等分線に平行な折り曲げ線ａ１〜ｈ１が形成されている。折り曲げ線ａ１、ｈ１、折り曲げ線ｂ１、ｇ１、折り曲げ線ｃ１、ｆ１、折り曲げ線ｄ１、ｅ１は、それぞれ垂直二等分線に対して線対称となるように位置している。また、折り曲げ線ａ１、ｃ１、ｆ１、ｈ１はミシン目によって形成されており、折り曲げ線ｂ１、ｄ１、ｅ１、ｇ１はプレス加工などによって形成されている。
【００２６】
また、ダンボール材３１において、一端から折り曲げ線ａ１までの長さをＡ、折り曲げ線ａ１から折り曲げ線ｂ１までの長さをＢ、折り曲げ線ｂ１から折り曲げ線ｃ１までの長さをＣ、折り曲げ線ｃ１から折り曲げ線ｄ１までの長さをＤ、折り曲げ線ｄ１から折り曲げ線ｅ１までの長さをＥ、折り曲げ線ｅ１から折り曲げ線ｆ１までの長さをＦ、折り曲げ線ｆ１から折り曲げ線ｇ１までの長さをＧ、折り曲げ線ｇ１から折り曲げ線ｈ１までの長さをＨとすると、折り曲げ線ｈ１から他端までの長さをＩとすると、各長さは次に記載する関係になっている。
【００２７】
長さＢと長さＣの和、及び長さＨと長さＧの和は、使用前のトイレットペーパーの直径よりも長くなるように設定されている。また、長さＤと長さＥと長さＦの和は、トイレットペーパーの幅に略一致するように設定されている。また、長さＡ、長さＣと長さＤの和、長さＦと長さＧの和、及び長さＩは、袋本体１０の短手方向の長さとティッシュ箱１０５の高さＮとの差に略等しくなるように設定されている。また、長さＢと長さＥと長さＨの和は、ティッシュ箱１０５の長さＬに略等しくなるように設定されている。また、長さＡと長さＤと長さＥと長さＦと長さＩの和は、ティッシュ箱１０５の長さＬに略等しくなるように設定されている。
【００２８】
切り込み部３２の固定端部の位置は、折り曲げ線ｃ１から折り曲げ線ｂ１側に、使用前のトイレットペーパーの半径分寄った位置に設定されており、同様に、切り込み部３３の固定端部の位置は、折り曲げ線ｈ１から折り曲げ線ｇ１側に、使用前のトイレットペーパーの半径分寄った位置に設定されている。なお、切り込み部３２には折り曲げ線ｂ１が形成されており、切り込み部３３には折り曲げ線ｇ１が形成されている。
【００２９】
次に、仕切り板３０の使用形態について説明する。まず、袋本体１０にトイレットペーパーを収納する場合には、図３において、ダンボール材３１の折り曲げ線ａ１、ｈ１を直角に谷折りし、折り曲げ線ｃ１、ｆ１を山折りすることにより、図１（ａ）に示す仕切り板３０を形成する。そして、切り込み部３２の形成面と切り込み部３３の形成面との間にトイレットペーパーの円形の両側面が対向するように配置し、切り込み部３２、３３の自由端を内側に倒すように曲げ、切り込み部３２、３３の自由端を、トイレットペーパー１００が巻き返されている円筒状の芯材内に遊嵌させる。これにより、図１（ａ）に示すように、トイレットペーパー１００に仕切り板３０が取り付けられる。
【００３０】
さらに、図１（ｂ）に示すように、仕切り板３０が取り付けられたトイレットペーパー１００を袋本体１０内に収納し、折り曲げ線ａ１、ｈ１において曲げられたダンボール材３１両側部の面を、袋本体１０の底面部１１に当接させ、トイレットペーパー１００の端部を開口部１２から引き出す。これにより、トイレットペーパー１００が、散歩用紙袋１の外側から容易に引き出せるようになる。
【００３１】
次に、袋本体１０にティッシュ箱１０５を収納する場合について説明する。袋本体１０にティッシュ箱１０５を収納する場合には、図３において、ダンボール材３１の折り曲げ線ａ１、ｈ１を直角に谷折りし、折り曲げ線ｂ１、ｇ１を直角に谷折りし、折り曲げ線ｄ１、ｅ１を山折りすることにより、図２（ａ）に示す仕切り板３０を形成する。
【００３２】
そして、図２（ｂ）に示すように、ティッシュ箱１０５の取出口１１０を横方向に向け、ティッシュ箱１０５の長手方向と高さ方向の辺、すなわち長さＬと高さＮの辺によって囲まれる側面が、袋本体１０の底面部１１に当接するように、袋本体１０内にティッシュ箱１０５を収納する。この時、袋本体１０の側面における取出口１１０との対向部位に、開口部１２が形成されている。ティッシュ箱１０５の内部にはティッシュが収納されており、このティッシュが、開口部１２を介して取り出し可能となる。
【００３３】
さらにティッシュ箱１０５の側方に、仕切り板３０を収納する。このとき、図４に示すように、ティッシュ箱１０５に、仕切り板３０における、折り曲げ線ａ１から折り曲げ線ｂ１までの面及び折り曲げ線ｇ１から折り曲げ線ｈ１までの面が当接する。また、袋本体１０の側面に、仕切り板３０における、ダンボール材３１の一端から折り曲げ線ａ１までの面、及び折り曲げ線ｈ１から他端までの面が当接する。また、袋本体１０の背面に、ダンボール材３１の折り曲げ線ｄ１から折り曲げ線ｅ１までの面が当接する。これにより、仕切り板３０が袋本体１０内におけるティッシュ箱１０５の側方空間を３つに仕切るようになる。なお、仕切り板３０によって区画される中央の空間は、５００ｍｌ用ペットボトルを立てた状態で収納可能な大きさに形成される。
【００３４】
図５は把持部２０の構成を示す正面図、図６は図５の背面図である。図５、図６に示すように、厚紙２４には、紐状部材２２の両端を支持する支持部４０、４０が形成されている。支持部４０は、孔部４１と、コ字状の切り込みによって形成された第１切り込み部４２及び第２切り込み部４３と、切欠部４４とによって形成される。また、厚紙２４において２箇所形成されている支持部４０は、厚紙２４の長手方向に対して垂直に２等分する中心線に対して線対称となるように形成されている。なお、以下の説明の便宜上、図５において、Ａ方向を上部側、Ｂ方向を下部側と称することにする。
【００３５】
孔部４１、４１は、厚紙２４の長手方向の中心線に対して上部側に形成されており、さらに、厚紙２４を、袋本体１０の折り返し部１４に挿入した際に、孔部１６、１６に一致するように形成されている。
【００３６】
孔部４１の近傍でかつ厚紙２４の中心寄りに、第２切り込み部４３が形成されている。第２切り込み部４３は、厚紙２４の長手方向端部側が固定端で、長手方向中央側が自由端となる台形型の切り込みであり、自由端側において上部側の切り込み角度は、下部側の切り込み角度よりも大きく設定されている。また、固定端側における上部側の切り込み端の位置は、下部側の切り込み端の位置よりも、若干、厚紙２４の中心寄りに位置しており、孔部４１は、固定端側における上部側の切り込み端の近傍に形成されている。
【００３７】
第１切り込み部４２は、第２切り込み部４３に対して厚紙２４の中心寄りに所定の間隔を空けて形成されている。第１切り込み部４２は、厚紙２４の長手方向端部側が固定端で、長手方向中央側が自由端となる等脚台形型の切り込みであり、第２切り込み部４３の自由端と第１切り込み部４２に自由端が互いに対向するように形成されている。切欠部４４は、半円形状であり、厚紙２４の下部側の一辺における、第１切り込み部４２と第２切り込み部４３との中間の下部側の部位に形成されている。
【００３８】
そして、図５、６に示すように、紐状部材２２の端部を、厚紙２４の裏側から孔部４１に通し、紐状部材２２を厚紙２４の表側から裏側に回すとともに、切欠部４４に係合させ、さらに厚紙２４の裏側から第２切り込み部４３に通し、第１切り込み部４２において把持させることによって、支持部４０に取り付けられる。なお、紐状部材２２の端部を第１切り込み部４２に接着剤や接着テープを用いて固定してもよいが、本実施形態によれば、ティッシュ箱と水を入れた５００ｍｌ用ペットボトル、その他、糞を入れるビニール袋、タオルや携帯灰皿のような軽量な小物を袋本体１０に入れて携帯する程度であれば、接着剤や接着テープを用いて固定せずとも、袋本体１０を支持する強度を得ることは可能である。
【００３９】
なお、袋本体１０に把持部２０を取り付ける場合には、まず、袋本体１０の内側から孔部１６、１６に紐状部材２２の両端部を通し、折り返し部１４を通して袋本体１０の外側に紐状部材２２の両端部を引き出す。そして、紐状部材２２の端部を厚紙２４の支持部４０、４０に取り付け、紐状部材２２を引っ張りながら厚紙２４を折り返し部１４内に収納させることにより、袋本体１０に把持部２０が取り付けられる。
【００４０】
以上、説明したように構成された第１実施形態によれば、ダンボール材３１の織り方を変えることにより、仕切り板３０がトイレットペーパー１００のホルダとして機能するようになり、散歩用紙袋１内でトイレットペーパー１００を安定して保持することが可能になる。これにより、使用者は、散歩用紙袋１を携帯しながら、袋本体１０の側方から開口部１２を介してトイレットペーパー１００を引き出すことが容易に可能となる。
【００４１】
また、ダンボール材３１の織り方を変えることにより、仕切り板３０に、ティッシュ箱１０５を安定して保持するとともに、ティッシュ箱１０５の側方の空間を区画する機能を持たせることが可能になる。具体的には、ティッシュ箱１０５の側方に仕切り板６０を載置することにより、ティッシュ箱１０５の取出口１１０と袋本体１０の開口部１２とを対向させた状態で維持することが可能になる。これにより、使用者は、散歩用紙袋１を携帯しながら、袋本体１０の側方から開口部１２を介してティッシュを取り出すことが容易に可能となる。また、袋本体１０の内部においてティッシュ箱１０５の側方の空間を３つに区画されているため、中央の区画に、袋本体１０に収納する物の中で重い物を収納することにより、散歩用紙袋１のバランスを維持すること可能になり、携帯性を向上させることが可能になる。
【００４２】
また、仕切り板６０は、一枚の矩形の紙材によって構成されているため、使用者によって容易に作成可能になる。
【００４３】
また、仕切り部６７に５００ｍｌ用ペットボトルを立てた状態で収納することにより、携帯時に、ペットボトルが袋本体１０内で倒れることが防止され、しかも取りやすい状態を維持することが可能になる。
【００４４】
また、把持部２０は、携帯時に使用者が把持する紐状部材２２と、袋本体１０の上部に形成した折り返し部１４の内部に配置され、紐状部材２２の両端部を支持する支持部４０、４０を有する矩形の厚紙２４からなり、支持部４０、４０を構成する切り込み部や孔部に紐状部材２２の端部を挿入することによって紐状部材２２を固定している。このような簡単な構成で、把持部２０に、袋本体１０を支持するために十分な強度を持たせることが可能になる。
【００４５】
［第２実施形態］
図７は、本考案の第２実施形態に係る散歩用紙袋の外観及び内部構成を示す斜視図である。図８は図７の散歩用紙袋を背面側の外観及び内部構成を示す斜視図であり、図８（ａ）は仕切板の構成を示し、図８（ｂ）は、紙袋内にティッシュ箱及び仕切り板を収納の構成を示すものである。この第２実施形態は、図２に示す第１実施形態において、仕切り板３０を図７、図８に示す仕切り板６０としたものである。なお、図１〜図６に示す第１実施形態における部材と同一の部材については、同一の符号を付して、詳細な説明は省略した。
【００４６】
図７、図８に示すように、袋本体１０内においてティッシュ箱１０５の側方に形成された空間に仕切り板６０が配置される。
【００４７】
仕切り板６０は、図９に示すような１枚の矩形の薄いダンボール材６１によって構成されている。ダンボール材６１には、Ｔ字型の切り込み部６２が形成されている。この切り込み部６２は、一辺の中央から垂直に形成した切り込み６３と、切り込み６３の先端から、切り込み６３が形成された一辺と平行に形成した切り込み６４とから形成される。
【００４８】
そして、ダンボール材６１において、切り込み６４を含む折り曲げ線、及び切り込み６３に平行でかつ切り込み６４の端部を通る２本の折り曲げ線が折り曲げられる。具体的には、切り込み６３の両側部に位置する平面（Ａ）、（Ｂ）を、折り曲げ線ａ２，ｂ２において直角に谷折りし、平面（Ａ）、（Ｂ）の側方に位置する平面（Ｃ）、（Ｄ）を、折り曲げ線ｃ２，ｄ２において直角に谷折りし、平面（Ｃ）、（Ｄ）に隣り合う平面（Ｅ）、（Ｆ）を、折り曲げ線ｅ２，ｆ２において直角に山折りすることにより、図８（ａ）に示す形状の仕切り板６０が形成される。
【００４９】
仕切り板６０は、図９に示す平面（Ｃ）、（Ｄ）に対応する矩形の基台部６５、６５と、基台部６５、６５から立設する、図９に示す平面（Ａ）、（Ｂ）に対応する側方当接部６６、６６と、基台部６５、６５からコ字状に立設する、図９に示す平面（Ｅ）、（Ｆ）、（Ｇ）に対応する仕切り部６７とを有する。
【００５０】
仕切り板６０のサイズは、横幅Ｐがティッシュ箱１０５の長手方向の長さＬと同じになるように設定されており、縦幅Ｑは袋本体１０の短手方向の長さからティッシュ箱１０５の高さＮを差し引いた長さに設定されており、高さＲは、ティッシュ箱の短手方向の長さＭと同じになるように設定されている。
【００５１】
そして、図７、図８（ｂ）に示すように、袋本体１０内にティッシュ箱１０５を収納し、さらに仕切り板６０を収納した場合には、基台部６５、６５が袋本体１０の底面部１１に当接し、側方当接部６６、６６がティッシュ箱１０５に当接し、仕切り部６７が袋本体１０内におけるティッシュ箱１０５の側方空間の中央部を仕切るようになる。
【００５２】
図１０は、図７、図８（ｂ）を平面視した図であり、袋本体１０内に、ティッシュ箱１０５及び仕切り板６０を載置することにより、ティッシュ箱１０５の側方の空間は、仕切り部６７によって形成される区画、及び仕切り部６７の両側部に形成される区画の計３つの区画に仕切られる。特に、仕切り部６７によって形成される中央の区画は、５００ｍｌ用ペットボトル５０を立てた状態で収納可能な空間となるように形成されている。
【００５３】
以上、説明したように構成された第２実施形態によれば、ティッシュ箱１０５の側方に仕切り板６０を載置することにより、ティッシュ箱１０５の取出口１１０と袋本体１０の開口部１２とを対向させた状態で維持することが可能になる。これにより、使用者は、散歩用紙袋１を携帯しながら、袋本体１０の側方から開口部１２を介してティッシュを取り出すことが容易に可能となる。また、袋本体１０の内部においてティッシュ箱１０５の側方の空間を３つに区画されているため、中央の区画に、袋本体１０に収納する物の中で重い物を収納することにより、散歩用紙袋１のバランスを維持すること可能になり、携帯性を向上させることが可能になる。また、第１実施形態よりも、使用者が散歩用紙袋１を携帯している際に、仕切り板６０が変形することが低減される。これにより、特に、散歩用紙袋１内に５００ｍｌ用ペットボトル５０を立てた状態を安定して維持することが可能になる。
【００５４】
以上、本考案の実施形態について説明したが、本考案は、上述した実施形態に限るものではない。例えば、開口部１２に、剥離可能なシール材を貼着しておき、散歩用に使用する際に、シール材を剥離させて開口部１２をさせてよい。
【００５５】
また、仕切り板６０の仕切り部６７の高さＲを、ティッシュ箱１０５の長さＭの２倍にしてティッシュ箱１０５を２つ重ねて収納できるようにしてもよい。
【符号の説明】
【００５６】
１  散歩用紙袋
１０  袋本体
１１  底面部
１２  開口部
１４  折り返し部
１６  孔部
２０  把持部
２２  紐状部材
２４  厚紙
３０、６０  仕切り板
３１、６１  ダンボール材
３２、３３、６２  切り込み部
４０  支持部
４１  孔部
４２  第１切り込み部
４３  第２切り込み部
４４  切欠部
６０  仕切り板
６１  ダンボール材
６２  切り込み部
６３、６４  切り込み
６５  基台部
６６  側方当接部
６７  仕切り部
５０  ペットボトル
１００  トイレットペーパー
１０５  ティッシュ箱
１１０  取出口
【図１】
0003156305.tif 000003
【図２】
0003156305.tif 000004
【図３】
0003156305.tif 000005
【図４】
0003156305.tif 000006
【図５】
0003156305.tif 000007
【図６】
0003156305.tif 000008
【図７】
0003156305.tif 000009
【図８】
0003156305.tif 000010
【図９】
0003156305.tif 000011
【図１０】
0003156305.tif 000012